(57)【要約】      （修正有）【課題】接続配管の先端部をフレア加工することなく、基幹配管と接続配管を容易に、しかも確実に接続する。【解決手段】基幹配管を装着するナット３の後端部に突出されたネジ管６と、接続配管７に挿通される継ぎ手ナット10と、接続配管７の前端部に装着されるゴムパッキング８と、ゴムパッキング８と継ぎ手ナット10間の接続配管７に挿通される止め金具９とからなり、ネジ管６内部にはゴムパッキング８を嵌挿する収納部16を設け、継ぎ手ナット10の内部にはその周面にネジ管６が螺着されるネジ溝15とネジ溝15の後方には止め金具９の後部13を嵌挿する収納部16を設け、ゴムパッキング８の後端部と止め金具９の前端部にそれぞれ衝接面12,12を形成し、止め金具９の後部13を縮形状にしてその軸方向に割り溝14を形成した配管の接続具【選択図】図１
0003124758.tif 000002
【実用新案登録請求の範囲】
【請求項１】
基幹配管を装着するナットの後端部に突出されたネジ管と、接続配管に挿通される継ぎ手ナットと、該接続配管の前端部に装着されるゴムパッキングと、上記ゴムパッキングと継ぎ手ナット間の接続配管に挿通される止め金具とからなり、上記ネジ管内部には上記ゴムパッキングを嵌挿する収納部を設け、上記継ぎ手ナットの内部にはその周面に上記ネジ管が螺着されるネジ溝と該ネジ溝の後方には上記止め金具の後部を嵌挿する収納部を設けたことを特徴とする配管の接続具。
【請求項２】
ゴムパッキングの後端部と止め金具の前端部にそれぞれ衝接面を形成した請求項２記載の配管の接続具。
【請求項３】
止め金具の後部を縮形状にしてその軸方向に割り溝を形成した請求項１記載の配管の接続具。
【考案の詳細な説明】
【技術分野】
【０００１】
この考案は、例えば冷媒配管接続部のフレア加工等を不要とし、接続作業が容易で、接続状態が確実な配管の接続具に関するものである。
【背景技術】
【０００２】
従来空気調和機の室内ユニットと室外ユニットとを相互に接続する冷媒配管（液管、ガス管）と室内ユニット及び室外ユニット側の各接続口との接続には、一般に図４、図５に示すようなフレア管継ぎ手構造が採用されている。
【０００３】
このフレア管継ぎ手は、室内ユニット又は室外ユニットに固定されているユニオン管継ぎ手１側の筒状の接続口本体（又は閉鎖弁側の接続口本体）２に形成されてる所定フレア角のフレア部突き合わせ端部に対して、そのフレア角に対応したフレア形状に加工されたフレア部を有する例えば銅パイプで構成される冷媒配管ａの接続端部を突き合わせるとともに、この突き合わせ状態においてその外周をフレアナット17で締め付けることにより、相互に接続固定することになっている。
【特許文献１】特開2003-74769
【考案の開示】
【考案が解決しようとする課題】
【０００４】
しかし、上述の接続作業において、冷媒配管ａのフレア部ｂは、当該現場での接続作業に際し、例えばフレアダイスを有するフレア加工ツールを使用して、（１）所定の拡がり角で、かつ（２）拡げられたフレア部の幅が全周方向に均一で、しかも（３）その内周面で面一状態となるように、慎重に加工され、この加工精度が悪いと、シール性に大きな影響を与える。
【０００５】
そのため、少なくとも上記３つの条件（１）〜（３）が確保されるように、一般に慎重な加工作業がなされているが、それでも据え付け現場での多忙な作業であること、また作業者毎の熟練度や個人差によるバラツキがあることなどにより、必ずしも常に加工精度を期待し得ない問題がある。
【課題を解決するための手段】
【０００６】
この考案は、上記実情に鑑み、基幹配管を装着するナットの後端部に突出されたネジ管と、接続配管に挿通される継ぎ手ナットと、該接続配管の前端部に装着されるゴムパッキングと、上記ゴムパッキングと継ぎ手ナット間の接続配管に挿通される止め金具とからなり、上記ネジ管内部には上記ゴムパッキングを嵌挿する収納部を設け、上記継ぎ手ナットの内部にはその周面に上記ネジ管が螺着されるネジ溝と該ネジ溝の後方には上記止め金具の後部を嵌挿する収納部を設けた配管の接続具を提案するものである。
【考案の効果】
【０００７】
即ち、以上の構成において基幹配管を装着するナットの後端部に突出されたネジ管に接続配管に挿通される継ぎ手ナットを螺着させると、その際の螺着力により止め金具の後部は継ぎ手ナットの収納部に収納され、更に止め金具の前端部がゴムパッキングの後端部に衝接してゴムパッキングを押し出し、ネジ管内部に形成した収納部にゴムパッキングを嵌挿する。
【０００８】
したがって、この考案では接続配管の端部をフレア加工することなく、基幹配管と接続配管を容易に、且つ確実に接続することができる。
【０００９】
なお、この考案においてゴムパッキングの後端部と止め金具の前端部にそれぞれ衝接面を形成すれば、上記ネジ管に継ぎ手ナットを螺着させる際の螺着力を効果的にゴムパッキングに伝えることができる。
【００１０】
更に、止め金具の後部を縮形状にしてその軸方向に割り溝を形成すれば、上記ネジ管に継ぎ手ナットを螺着させる際の螺着力により止め金具の後部を継ぎ手ナットの収納部に嵌挿させることができる。
【考案を実施するための最良の形態】
【００１１】
基幹配管を装着するナットの後端部に突出されたネジ管と、接続配管に挿通される継ぎ手ナットと、該接続配管の前端部に装着されるゴムパッキングと、上記ゴムパッキングと継ぎ手ナット間の接続配管に挿通される止め金具とからなり、上記ネジ管内部には上記ゴムパッキングを嵌挿する収納部を設け、上記継ぎ手ナットの内部にはその周面に上記ネジ管が螺着されるネジ溝と該ネジ溝の後方には上記止め金具の後部を嵌挿する収納部を設け、ゴムパッキングの後端部と止め金具の前端部にそれぞれ衝接面を形成し、止め金具の後部を縮形状にしてその軸方向に割り溝を形成した配管の接続具
【実施例１】
【００１２】
以下、この考案を図示の実施例に基づいて詳細に説明すると、３は上述のユニオン管継ぎ手１の筒状の接続口本体２等の基幹配管を螺着するナットで、ナット３の基幹配管の螺着部４の端部にはシールリング５が嵌合され、更にナット３の後端部にはその外周にネジ溝を形成したネジ管６が設けられる。
【００１３】
一方、７は基幹配管に接続される接続配管で、接続配管７の前端部には耐候性、耐熱性、絶縁性、耐薬品性、耐油性等の特性を備えたＣＮＲスーパー５（商品名）等で構成される前方を縮形状にしたゴムパッキング８が装着され、更に止め金具９、継ぎ手ナット10が挿通される。
【００１４】
また、ネジ管６の内部にはゴムパッキング８を嵌挿する収納部11が形成され、更にゴムパッキング８の後端部と止め金具９の前端部にはそれぞれ衝接面12,12が形成される。
【００１５】
また、止め金具９の後部13は縮形状にして、その軸方向に割り溝14を形成し、更に継ぎ手ナット10の内周にはネジ管６に螺合するネジ溝15が形成するとともに、ネジ溝15の後方には止め金具９の後部13を嵌挿する収納部16が形成される。
【００１６】
以上の構成において、基幹配管を螺着するナット３の後端部に突出されたネジ管６に接続配管７に挿通される継ぎ手ナット10を螺着させると、その際の螺着力により止め金具９の後部13は継ぎ手ナット10の収納部16に強制的に収納される。
【００１７】
一方、上記螺着力により止め金具９の前端部とゴムパッキング８の後端部に形成された衝接面12,12が衝接してゴムパッキング８を押し出し、ネジ管４内部に形成した収納部９にゴムパッキング８を嵌挿する。
【００１８】
したがって、この考案では接続配管の端部をフレア加工することなく、ユニオン管継ぎ手１の筒状の接続口本体２と接続配管７を容易に、且つ確実に接続することができる。
【００１９】
なお、この考案に係わる配管の接続具は、冷媒配管の接続等に最適であるが、これに限定されるものでなく各種の配管接続に適用できる。
【産業上の利用可能性】
【００２０】
以上要するに、この考案では接続配管の端部をフレア加工することなく、基幹配管と接続配管５を容易に、且つ確実に接続することができる。
【図面の簡単な説明】
【００２１】
【図１】この考案の一実施例を示す配管接続具の分解した一部縦断側面図
【図２】同上のＡ−Ａ矢印方向から見た図
【図３】同上の組み立て状態における側面図
【図４】従来の冷媒配管の分解した一部縦断側面図
【図５】同上の組み立て状態における側面図
【符号の説明】
【００２２】
１はユニオン管継ぎ手
２は筒状の接続口本体
2aは接続口本体の螺着部
2bは接続口本体のフレア角の端部
３は基幹配管を螺着するナット
４は基幹配管の螺着部
５はシールリング
６はネジ管
７は接続配管
８はゴムパッキング
９は止め金具
10は継ぎ手ナット
11はゴムパッキングの収納部
12,12は衝接面
13は止め金具の後部
14は割り溝
15はネジ溝
16は止め金具後部の収納部
17はフレアナット
【図１】
0003124758.tif 000003
【図２】
0003124758.tif 000004
【図３】
0003124758.tif 000005
【図４】
0003124758.tif 000006
【図５】
0003124758.tif 000007
【手続補正書】
【提出日】平成18年6月21日(2006.6.21)
【手続補正１】
【補正対象書類名】実用新案登録請求の範囲
【補正対象項目名】全文
【補正方法】変更
【補正の内容】
【実用新案登録請求の範囲】
【請求項１】
基幹配管を装着するナットの後端部に突出されたネジ管と、接続配管に挿通される継ぎ手ナットと、該接続配管の前端部に装着されるゴムパッキングと、上記ゴムパッキングと継ぎ手ナット間の接続配管に挿通される止め金具とからなり、上記ネジ管内部には上記ゴムパッキングを嵌挿する収納部を設け、上記継ぎ手ナットの内部にはその周面に上記ネジ管が螺着されるネジ溝と該ネジ溝の後方には上記止め金具の後部を嵌挿する収納部を設けたことを特徴とする配管の接続具。
【請求項２】
ゴムパッキングの後端部と止め金具の前端部にそれぞれ衝接面を形成した請求項１記載の配管の接続具。
【請求項３】
止め金具の後部を縮形状にしてその軸方向に割り溝を形成した請求項１記載の配管の接続具。